(57)【要約】【課題】  本体ユニット側の部品配置のスペース効率を低下させることなく、しかも、本体ユニットと表示ユニットの両方の形状を考慮することで、全体として一体感があり、かつ薄型に見える効果をより強調し得る筐体構造とする。【解決手段】  少なくとも上面に入力部を有する本体ユニット１と、本体ユニット１の上面を覆うように回転可能に取り付けられた表示ユニット２とで構成される情報機器において、本体ユニット１の筐体側面１１は、側端面１１ａとこの側端面１１ａの上端１１ａ１に続く傾斜面１１ｂとからなり、表示ユニット２の筐体側面２１は、本体ユニット１の上面を覆った状態において、本体ユニット１の傾斜面１１ｂの上端１１ｂ１に続く傾斜面２１ｂに形成されている。【選択図】  図４
2005078600.tif 000002
【特許請求の範囲】
【請求項１】
少なくとも上面に入力部を有する本体ユニットと、前記本体ユニットの上面を覆うように回転可能に取り付けられた表示ユニットとで構成される情報機器において、
前記本体ユニットの筐体側面は、側端面とこの側端面の上端に続く傾斜面とからなり、前記表示ユニットの筐体側面は、前記本体ユニットの上面を覆った状態において、前記本体ユニットの傾斜面の上端に続く傾斜面に形成されていることを特徴とする情報機器。
【請求項２】
前記表示ユニットの傾斜面の下端は、前記本体ユニットの傾斜面の上端より内側に位置していることを特徴とする請求項１に記載の情報機器。
【請求項３】
前記本体ユニットの傾斜面の幅は前記側端面の幅より小さく形成されていることを特徴とする請求項１または請求項２に記載の情報機器。
【請求項４】
前記本体ユニットの傾斜面及び前記表示ユニットの傾斜面は、それぞれ筐体の前側面と左右側面とに形成され、かつ、前記表示ユニットの筐体の中央部はこれら傾斜面に続く平坦面に形成されていることを特徴とする請求項１または請求項２に記載の情報機器。
【請求項５】
前記本体ユニットの傾斜面及び前記表示ユニットの傾斜面は、それぞれ筐体の前後側面と左右側面とに形成され、かつ、前記表示ユニットの筐体の中央部はこれら傾斜面に続く平坦面に形成されていることを特徴とする請求項１または請求項２に記載の情報機器。
【請求項６】
前記本体ユニットの筐体側面には、前記表示ユニットの開放時、前記本体ユニットと前記表示ユニットとの間に空間を形成するための機構部材が設けられていることを特徴とする請求項１ないし請求項５のいずれかに記載の情報機器。
【請求項７】
前記機構部材は、前記本体ユニットの筐体側面において、上下方向に回動可能または摺動可能に設けられていることを特徴とする請求項６に記載の情報機器。
【請求項８】
前記機構部材は、前記本体ユニットの筐体側面において、前後方向に摺動可能に設けられていることを特徴とする請求項６に記載の情報機器。
【請求項９】
前記表示ユニットは、前記傾斜面を有する外カバーと、組付ける表示パネルの表示面側を覆う内カバーとからなり、前記外カバーの傾斜面の位置の裏面側に形成された係止部と前記内カバーの周端部の対向する裏面側に形成された被係止部とを係合することによって一体に組付けられていることを特徴とする請求項１に記載の情報機器。
【請求項１０】
前記係止部と前記被係止部とは、前記内カバーを前記外カバーに添接させた状態で、前記内カバーを前記外カバーに対して摺動させることによって係合されることを特徴とする請求項９に記載の情報機器。
【発明の詳細な説明】
【技術分野】
【０００１】
本発明は、ノートパソコンなどの携帯型の情報機器に係り、より詳細には、情報機器の筐体構造に関するものである。
【背景技術】
【０００２】
ノートパソコンの代表的な外観形状は、図１２（ａ）に示すように、上面に入力部を有する本体ユニット１０１と、本体ユニット１０１の上面を覆うように回転可能に取り付けられた表示ユニット１０２とが、薄型の直方体形状に形成されてる。また、多少のデザイン性を考慮して、図１２（ｂ）に示すように、表示ユニット１０２の前端面を湾曲状に形成したものもある。
【０００３】
一方、キー入力のし易さといった機能性や堅牢性を考慮した形状として、図１２（ｃ）に示すように、本体ユニット１０１の前面側の側面を表示ユニットより前方に突出させ、かつ略Ｕ字状に湾曲させた形状のものがある。
【０００４】
つまり、ノートパソコンは携帯可能な点が特徴であり、携帯することによって、ノートパソコンを机の角等にぶつけたり、場合によっては床に落としたりする可能性がある。このような場合でも、本体ユニット１０１が表示ユニット１０２より前方に突出しているので、床等には本体ユニット１０１が先に衝突し、表示ユニット１０２は直接の衝突を免れる可能性が高い。衝突による衝撃に対しては、本体ユニット１０１も表示ユニット１０２もどちらも十分に保護する必要があるが、特に表示ユニット１０２に取り付けられている液晶表示パネルの製造コスト等を考えると、本体ユニット１０１よりも表示ユニット１０２の保護を優先させる必要がある。このような観点から、図１２（ｃ）では、本体ユニット１０１が表示ユニット１０２より前方に突出した形状となっている。
【０００５】
一方、デザイン性を優先すると、図１２（ｄ）に示すように、表示ユニットの端面を緩やかな湾曲傾斜面に形成することで、ユーザにソフトな外観イメージを与えることができる。
【０００６】
因みに、本体ユニット１０１を表示ユニット１０２より前方に突出させた形状のものとしては特許文献１に記載のものがある。
【特許文献１】特開平６−７５６９７号公報
【発明の開示】
【発明が解決しようとする課題】
【０００７】
しかし、図１２（ｃ）に示す形状では、本体ユニット１０１の前面側の側面が略Ｕ字形状に形成されているため、この部分への部品配置が困難となり、機器の小型化が困難であるといった問題があった。また、小型化に加え、機器自体を薄く見せることも重要な課題であるが、図１２（ｄ）に示す形状では、表示ユニット１０２のみが薄く見えるものの、本体ユニット１０１自体は直方体形状のままであるため、一体感に乏しく、薄型に見せる効果としては不十分なものであった。
【０００８】
本発明はかかる問題点を解決すべく創案されたもので、その目的は、本体ユニット側の部品配置のスペース効率を低下させることなく、しかも、本体ユニットと表示ユニットの両方の形状を考慮することで、全体として一体感があり、かつ薄型に見える効果をより強調し得る筐体構造とした情報機器を提供することにある。
【課題を解決するための手段】
【０００９】
上記課題を解決するため、本発明の情報機器は、少なくとも上面に入力部を有する本体ユニットと、前記本体ユニットの上面を覆うように回転可能に取り付けられた表示ユニットとで構成される情報機器において、前記本体ユニットの筐体側面は、側端面とこの側端面の上端に続く傾斜面とからなり、前記表示ユニットの筐体側面は、前記本体ユニットの上面を覆った状態において、前記本体ユニットの傾斜面の上端に続く傾斜面に形成されていることを特徴とする。
【００１０】
このように、本体ユニットの筐体側面と表示ユニットの筐体側面とに一連に続く傾斜面を設けることで、本体ユニットと表示ユニットとに一体感を持たせつつ、全体を薄型に見せることができる。この場合、本体ユニットの筐体側面は、垂直面である側端面を有し、この側端面の上端から傾斜面を形成しているので、側端面の筐体内側には、上部の傾斜面によって若干高さが制限されるものの、電子部品を実装するスペースを確保することができる。そのためには、本体ユニットの傾斜面の幅を側端面の幅より小さく形成することが好ましい。つまり、側端面の高さをある程度確保することが好ましい。
【００１１】
また、表示ユニットの筐体側面に形成する傾斜面と本体ユニットの筐体側面に形成する傾斜面とは滑らかにつながるように一連に形成されるが、実際には、表示ユニットに形成される傾斜面の先端部の強度を考慮すれば、先端部に若干丸みを付けることになる。そのため、厳密には、表示ユニットの傾斜面の下端は、本体ユニットの傾斜面の上端より内側に位置することになる。
【００１２】
また、本発明では、このような本体ユニットの傾斜面及び表示ユニットの傾斜面を、それぞれ筐体の前側面と左右側面とに形成している。または、それぞれ筐体の前後側面と左右側面に形成している。このように、本体ユニット及び表示ユニットのほぼ全周を傾斜面に形成することで、より効果的に薄型に見せることができる。
【００１３】
ところで、このように、傾斜面を一連に形成した場合には、表示ユニットを開くとき、指を引っかけるスペースが無く、このままでは開きにくい構造となる。
【００１４】
そこで、本発明では、スペースを取らない簡単な構造で、表示ユニットを開くときに、表示ユニットに指先を引っかけるためのスペースを簡単に確保できるように考慮している。すなわち、本体ユニットの筐体側面に、本体ユニットと表示ユニットとの間に指先を引っかける隙間を形成するための機構部材を設けている。
【００１５】
この機構部材は、本体ユニットの筐体の前側側面中央部において、上下方向に回動可能または摺動可能に設けられたチルトアップボタン等によって構成されている。このチルトアップボタンの形状は、本体ユニットの筐体側面と同様、側端面とこの側端面の上端に続く傾斜面とで形成されている。これにより、本体ユニット及び表示ユニットとの一体感を損なうことなく、チルトアップボタンを本体ユニットの筐体側面（前側側面）に設けることができる。そして、表示ユニットを開くときには、例えば右手親指でチルトアップボタンを下方に押しさげると、このチルトアップボタンと表示ユニットの先端傾斜面の下面側との間に隙間ができるので、チルトアップボタンを押し下げたその親指をそのまま隙間に差し入れて表示ユニットに引っかければよい。
【００１６】
また、チルトアップボタンの動作としては、上記の他にも、本体ユニットに対して前後方向に摺動可能に設けてもよい。これにより、表示ユニットを開くときには、例えば右手親指でチルトアップボタンを本体ユニット内に押し込むと、このチルトアップボタンと表示ユニットの先端傾斜面の下面側との間に隙間ができ、チルトアップボタンを押し込んだその親指がそのまま隙間に入ることになるので、その親指を表示ユニットに引っかければよい。
【００１７】
ここで、表示ユニットの筐体の周囲を傾斜面に形成したことで、傾斜面を有する外カバーと、表示パネルの表示面側を覆う内カバーとの取り付け構造が問題となる。すなわち、従来のようにビス止めする場合には、傾斜面の部分ではあまり深くビスを止めることができないので、十分な固定強度が得られない可能性がある。また、ビス止めは外観上もあまり良いものではない。
【００１８】
そこで、本発明では、表示ユニットの外カバーの傾斜面の位置の裏面側に係止部を形成するとともに、内カバーの周端部の対向する裏面側に被係止部を形成し、これら係止部と被係止部とを係合することによって一体に組付ける構造としている。この場合、係止部と被係止部とは、内カバーを外カバーに添接させた状態で、内カバーを外カバーに対して摺動させることによって係合するように構成する。これにより、内カバーと外カバーとを確実かつ強固に係合一体化することが可能となる。また、係止部や被係止部は外部から見えないので、外観上も良好なものとなる。
【発明の効果】
【００１９】
本発明の情報機器によれば、本体ユニットの筐体側面と表示ユニットの筐体側面とに一連に続く傾斜面を設けることで、本体ユニットと表示ユニットとに一体感を持たせつつ、全体を薄型に見せることができる。この場合、本体ユニットの筐体側面は、垂直面である側端面を有し、この側端面の上端から傾斜面を形成しているので、側端面の筐体内側には、上部の傾斜面によって若干高さが制限されるものの、電子部品を実装するスペースを確保することができる。
【００２０】
また、本発明の情報機器によれば、本体ユニットの傾斜面及び表示ユニットの傾斜面を、それぞれ筐体の前側面と左右側面、または前後側面と左右側面に形成している。このように、本体ユニット及び表示ユニットのほぼ全周を傾斜面に形成することで、より効果的に薄型に見せることができる。
【００２１】
また、本発明の情報機器によれば、本体ユニットの筐体側面に、本体ユニットと表示ユニットとの間に指先を引っかける空間を形成するための機構部材を設けた構成としたので、表示ユニットを開くときには、例えば右手親指で機構部材を下方に押しさげると、この機構部材と表示ユニットの先端傾斜面の下面側との間に空間ができるので、機構部材を押し下げたその親指をそのまま空間に差し入れて表示ユニットに引っかければ、表示ユニットを簡単に開くことができる。
【発明を実施するための最良の形態】
【００２２】
以下、本発明の実施の形態について、図面を参照して説明する。
【００２３】
図１は本発明の情報機器の斜視図であり、同図（ａ）は本体ユニットに対して表示ユニットを開いた状態、同図（ｂ）は本体ユニットに対して表示ユニットを閉じた状態を示している。また、図２（ａ）は本体ユニットに対して表示ユニットを開いた状態の正面図、図２（ｂ）は本体ユニットに対して表示ユニットを閉じた状態の正面図、図２（ｃ）は本体ユニットに対して表示ユニットを閉じた状態の平面図、図２（ｄ）は本体ユニットに対して表示ユニットを開いた状態の側面図である。また、図３は、本体ユニットに対して表示ユニットを開いた状態の側面より見た概略断面図、図４は、図２（ｂ）の一端部を拡大した図である。
【００２４】
本実施形態の情報機器は、少なくとも上面にキーボード部１ａやタッチパッド１ｂ等の入力部を有する本体ユニット１と、本体ユニット１の上面を覆うように回転可能に取り付けられた表示ユニット２とで構成されている。また、表示ユニット２は、本体ユニット１の蓋体となる筐体（外カバー）２Ａと、この筐体（外カバー）２Ａ内に固定された液晶表示パネル２９（図３参照）の表示面を主体に前面全体を保護する透明の保護パネル（内カバー）２Ｂとで構成されている。
【００２５】
本体ユニット１の筐体側面１１は、垂直面である側端面１１ａとこの側端面１１ａの上端１１ａ１に続く傾斜面１１ｂとからなる。一方、表示ユニット２の筐体側面２１は、前記本体ユニット１の上面を覆った状態（図１（ｂ）、図２（ｂ），（ｃ）、図４等に示す状態）において、本体ユニット１の傾斜面１１ｂの上端１１ｂ１に続く傾斜面２１ｂに形成されている。
【００２６】
このように、本体ユニット１の筐体側面１１と表示ユニット２の筐体側面２１とに一連に続く傾斜面１１ｂ，２１ｂを形成することで、本体ユニット１と表示ユニット２とに一体感を持たせつつ、情報機器の全体を薄型に見せることができる。なお、この場合の傾斜面１１ｂ，２１ｂは、平坦面であってもよいが、図に示すように若干湾曲させておいてもよい。
【００２７】
この場合、本体ユニット１の筐体側面１１は、垂直面である側端面１１ａを有し、この側端面１１ａの上端１１ａ１（図４参照）から傾斜面１１ｂを形成しているので、側端面１１ａの筐体内側には、上部の傾斜面１１ｂによって若干高さが制限されるものの、電子部品を実装するスペースを確保することができる。そのためには、本体ユニット１の傾斜面１１ｂの幅Ｌ１（図４参照）を側端面１１ａの幅Ｌ２（図４参照）より小さく形成することが好ましい。つまり、側端面１１ａの高さをある程度確保することが好ましい。なお、本実施形態では、本体ユニット１の底面側もその周縁部を湾曲した傾斜面に形成しているが、底面側については必ずしも傾斜面にする必要はなく、側端面１１ａの下端に続く平坦面としてもよい。ただし、底面側も傾斜面にすることで、情報機器全体をより薄型に見せることができる。
【００２８】
また、表示ユニット１の筐体側面１１に形成する傾斜面１１ｂと本体ユニット２の筐体側面２１に形成する傾斜面２１ｂとは滑らかにつながるように一連に形成するのが好ましいが、実際には、表示ユニット２に形成される傾斜面２１ｂの先端部２１ｂ１の強度を考慮すれば、先端部２１ｂ１に若干丸みを付けることになる。そのため、厳密には、表示ユニット２の傾斜面２１ｂの下端（先端部２１ｂ１）は、本体ユニット１の傾斜面１１ｂの上端１１ｂ１より内側に位置することになる。
【００２９】
また、本実施形態では、このような本体ユニット１の傾斜面１１ｂ及び表示ユニット２の傾斜面２１ｂを、それぞれの筐体の前後側面と左右側面とに形成している。すなわち、本体ユニット１及び表示ユニット２の全周に傾斜面１１ｂ，２１ｂを形成している。このように全周に形成することで、情報機器をより効果的に薄型に見せることができる。
【００３０】
また、表示ユニット２の筐体の中央部は、これら傾斜面２１ｂに続く略楕円形状の平坦面２１ｃに形成されている。
【００３１】
なお、上記実施形態では、本体ユニット１の傾斜面１１ｂ及び表示ユニット２の傾斜面２１ｂを、それぞれの筐体の前後側面と左右側面とに形成しているが、表示ユニット２を本体ユニット１に回動可能に連結するヒンジ部３側である各筐体の後側側面については、筐体側面を必ずしも傾斜面とする必要はない。すなわち、傾斜面は少なくとも本体ユニット１及び表示ユニット２の前側側面と左右側面に形成されていればよい。
【００３２】
このような形状とすると、従来の筐体が直方体形状のものと比較して、外観上薄く見える効果がある。また、直方体形状のものと比較して握り易く、手のひらの中に安定して持つことができる。
【００３３】
さらに、本体ユニット１の筐体側面１１と表示ユニット２の筐体側面２１とに一連に続く傾斜面１１ｂ，２１ｂを形成し、しかも、表示ユニット２の傾斜面２１ｂの下端（先端部２１ｂ１）は、本体ユニット１の傾斜面１１ｂの上端１１ｂ１より内側に位置するように設けているので、表示ユニット２が垂直落下（コーナー落下）から保護され得る。すなわち、垂直落下時には、床等に本体ユニット１の角部が衝突し、表示ユニット２は直接の衝突を免れることができる。
【００３４】
ところで、このように、傾斜面を一連に形成した場合には、表示ユニット２を開くとき、指を引っかける隙間が無く、このままでは開きにくい構造となる。
【００３５】
そこで、本実施形態では、表示ユニット２を開くときに、表示ユニット２に指先を引っかけるための隙間を簡単な構造で確保できるように工夫している。すなわち、本体ユニット１の筐体側面（以下「前側側面」ともいう）１１の左右中央部に、本体ユニット１と表示ユニット２との間に指先を引っかける隙間を形成するための機構部材４を設けている。
【００３６】
＜機構部材４の説明＞
図５は、機構部材４の分解図であり、本体ユニット１の筐体を底面側から見た図となっている。また、図６は、機構部材４の拡大断面図である。
【００３７】
この機構部材４は、図５及び図６に示すように、横から見て略Ｌ字状に形成されたチルトアップボタン４１と、このチルトアップボタン４１を回動可能に保持するボタン保持バネ４２と、チルトアップボタン４１を筐体側面１１に保持するためのボタン固定アングル４３とで構成されている。この機構部材４は、本体ユニット１の筐体の前側側面１１の中央部に形成された所定幅の切欠き部１３に嵌め合わせるようにして配置される。
【００３８】
チルトアップボタン４１は、本体ユニット１の筐体側面１１と同様、側端面４１ａとこの側端面４１ａの上端４１ａ１に続く傾斜面４１ｂとで形成されており、さらに、傾斜面４１ｂの上端４１ｂ１に続く平坦面４１ｃが形成されている。そして、平坦面４１ｃの左右両側部には、チルトアップボタン４１を筐体側面１１に回動可能に取り付けるための支持軸４１ｄ，４１ｄが左右方向に延設される形で形成されている。
【００３９】
ボタン保持バネ４２は、チルトアップボタン４１の平坦面４１ｃの裏面側に当接する棒状の作用バネ部４２ａを備えており、この作用バネ部４２ａの両端に、チルトアップボタン４１の支持軸４１ｄ，４１ｄに挿通されるコイル状のバネ部４２ｂ，４２ｂが形成されている。そして、このコイル状のバネ部４２ｂ，４２ｂの先端部４２ｃ，４２ｃは直線状に延設されており、この延設先端部４２ｃ，４２ｃがボタン固定アングル４３に当接するようになっている。
【００４０】
ボタン固定アングル４３は、長方形状の平板であって、本体ユニット１の筐体側面１１の裏面側に当接され、図示しないネジ等で筐体に固定されている。
【００４１】
一方、切欠き部１３が設けられた本体ユニット１の筐体側面１１の裏面には、切欠き部１３に沿って左右方向に延びた溝部１４，１４が形成されており、この溝部１４、１４に、チルトアップボタン４１の支持軸４１ｄ，４１ｄが、ボタン保持バネ４２のコイル状バネ部４２ｂ，４２ｂを挿通した状態で嵌合される。
【００４２】
上記構成の機構部材４において、図６（ａ）は、ボタン保持バネ４２によってチルトアップボタン４１が上方に持ち上げられている状態を示しており、この状態でチルトアップボタン４１の側端面４１ａと本体ユニット１の筐体側面（前側側面）１１、及びチルトアップボタン４１の傾斜面４１ｂと本体ユニット１の傾斜面１１ｂとがほぼ面一になるように設けられている。これにより、本体ユニット１及び表示ユニット２との一体感を損なうことなく、チルトアップボタン４１を本体ユニット１の前側側面１１に設けることができる。なお、図示は省略しているが、チルトアップボタン４１はこの状態でこれ以上上方に回動しないように回動規制されている。
【００４３】
一方、図６（ｂ）は、ユーザが例えば親指等でチルトアップボタン４１を下方に押し下げた状態を示しており、チルトアップボタン４１の平坦面４１ｃと表示ユニット２との間に指の入る隙間Ｐが形成されている。ユーザは、この隙間Ｐに指を差し込んで表示ユニット２を上方に開くことになる。なお、チルトアップボタン４１から指を離すと、ボタン保持バネ４２の弾発力によってチルトアップボタン４１は図６（ａ）に示す状態に回動復帰する。
【００４４】
図７は、機構部材４の他の実施例を示している。
【００４５】
図６に示す例では、チルトアップボタン４１を上下に回動する構造であったが、図７に示す実施例では、チルトアップボタン４１を上下に摺動可能な構造としたものである。そのため、図６ではボタン保持バネ４２は作用バネ部４２ａとコイル状バネ部４２ｂと延設先端部４２ｃとで形成されていたが、本実施例では、チルトアップボタン４１を、本体ユニット１の前側側面１１に形成された切欠き部１３の左右対向側面に挟持される形で上下摺動可能（図示省略）に取り付け、この状態で、チルトアップボタン４１の平坦面４１ｃとボタン固定アングル４３との間にスプリングコイル４５を挿入した構造としている。なお、図示は省略しているが、チルトアップボタン４１は、図７（ａ）に示す状態で、これ以上上方に摺動しないように摺動規制されている。
【００４６】
一方、図７（ｂ）は、ユーザが例えば親指等でチルトアップボタン４１を下方に押し下げた状態を示しており、チルトアップボタン４１の平坦面４１ｃと表示ユニット２との間に指の入る隙間Ｐが形成されている。ユーザは、この隙間Ｐに指を差し込んで表示ユニット２を上方に開くことになる。なお、チルトアップボタン４１から指を離すと、スプリングコイル４５の弾発力によってチルトアップボタン４１は図７（ａ）に示す状態に摺動復帰する。
【００４７】
図８は、機構部材４のさらに他の実施例を示している。
【００４８】
図６に示す例では、チルトアップボタン４１を上下に回動する構造であったが、図８に示す実施例では、チルトアップボタン４１を前後に摺動可能な構造としたものである。そのため、図６ではボタン保持バネ４２は作用バネ部４２ａとコイル状バネ部４２ｂと延設先端部４２ｃとで形成されていたが、本実施例では、チルトアップボタン４１を、本体ユニット１の前側側面１１に形成された切欠き部１３の左右両側面に挟持される形で前後摺動可能（図示省略）に取り付け、この状態で、チルトアップボタン４１の側端面４１ａと切欠き部１３の前端面１３ａとの間にスプリングコイル４６を挿入した構造としている。なお、図示は省略しているが、チルトアップボタン４１は、図８（ａ）に示す状態で、これ以上前方に摺動しないように摺動規制されている。
【００４９】
一方、図８（ｂ）は、ユーザが例えば親指等でチルトアップボタン４１を後方に押し込んだ状態を示しており、チルトアップボタン４１と表示ユニット２との間に指の入る隙間Ｐが形成されている。ユーザは、この隙間Ｐに指を差し込んで表示ユニット２を上方に開くことになる。なお、チルトアップボタン４１から指を離すと、スプリングコイル４６の弾発力によってチルトアップボタン４１は図８（ａ）に示す状態に摺動復帰する。
【００５０】
＜表示ユニットの筐体と保護パネルの係止構造の説明＞
ここで、表示ユニット２の筐体２Ａの周囲を傾斜面２１ｂに形成したことで、表示ユニット２を構成する筐体２Ａと、液晶表示パネル２９の前面を保護する透明の保護パネル２Ｂとの取り付け構造が問題となる。すなわち、従来のようにビス止めする場合には、傾斜面２１ｂの部分ではあまり深くビスを止めることができないので、十分な固定強度が得られない可能性がある。また、ビス止めは外観上もあまり良いものではない。
【００５１】
そこで、本実施形態では、図９（ａ）に示すとおり、表示ユニット２の筐体２Ａの傾斜面２１ｂの位置の裏面側に係止部５１を形成するとともに、保護パネル２Ｂの周端部の対向する裏面側に被係止部６１を形成し、これら係止部５１と被係止部６１とを係合することによって、筐体２Ａと保護パネル２Ｂとを一体に組付ける構造としている。
【００５２】
図９は表示ユニット２の筐体２Ａと保護パネル２Ｂの構造を示しており、同図（ｂ）は筐体２Ａを裏側から見た平面図、同図（ｃ）は保護パネル２Ｂを表側（表示面側）から見た平面図である。
【００５３】
筐体２Ａには、筐体２Ａの前側縁部に沿って５個の係止部５１ａが形成されるとともに、左右縁部に沿ってそれぞれ３個の係止部５１ｂが形成されている。また、保護パネル２Ｂには、保護パネル２Ｂの前側縁部に沿って上記係止部５１ａに対応する箇所に５個の被係止部６１ａが形成されるとともに、左右縁部に沿って上記係止部５１ｂに対応する箇所にそれぞれ３個の被係止部６１ｂが形成されている。
【００５４】
図１０は、筐体２Ａに形成された係止部５１ａ，５１ｂと、保護パネル２Ｂに形成された被係止部６１ａ，６２ａの具体的形状を示す一部拡大した斜視図であり、保護パネル２Ｂと筐体２Ａのそれぞれの対向面側を図示している。
【００５５】
筐体２Ａの前側縁部に沿って形成される係止部５１ａは、筐体２Ａから垂直に立ち上げられた起立片５１ａ１と、その先端部から後方（図中、Ｚ２方向）に向かって水平に延設された係止爪５１ａ２とで形成されている。
【００５６】
また、筐体２Ａの左右縁部に沿って形成される係止部５１ｂは、筐体２Ａから垂直に立ち上げられた起立片５１ｂ１と、その先端部から後方（図中、Ｚ２方向）に向かって水平に延設された係止片５１ｂ２と、これら起立片５１ｂ１と係止片５１ｂ２との外方側端部を閉塞する規制片５１ｂ３とで形成されている。
【００５７】
保護パネル２Ｂの前側縁部に沿って形成される被係止部６１ａは、保護パネル２Ｂから垂直に立ち上げられた一対の起立片６１ａ１，６１ａ１と、その先端部同士を接続する接続片６１ａ２とで形成されている。つまり、各片で囲まれた中央部に前記係止爪５１ａ２を挿入係止する開口部６３が形成されている。
【００５８】
また、保護パネル２Ｂの左右縁部に沿って形成される被係止部６１ｂは、保護パネル２Ｂから垂直に立ち上げられた起立片６１ｂ１と、その先端部から前方（図中、Ｚ１方向）に向かって水平に延設された係止爪６１ｂ２とで形成されている。
【００５９】
上記構成の係止構造によれば、保護パネル２Ｂを筐体２Ａに添接させた状態で、保護パネル２Ｂを筐体２Ａに対して図中、Ｚ１方向に摺動させる。これにより、図１１（ａ）に示すように、保護パネル２Ｂの左右縁部に沿って形成された被係止部６１ｂの係止爪６１ｂ２が、筐体２Ａの左右縁部に沿って形成された係止部５１ｂの係止片５１ｂ２に係合し、図１１（ｂ）に示すように、保護パネル２Ｂの前側縁部に沿って形成された被係止部６１ａの開口部６３に、筐体２Ａの前側縁部に沿って形成された係止部５１ａの係止爪５１ａ２が挿入係止される。このとき、筐体２Ａの左右縁部に沿って形成された係止部５１ｂの規制片５１ｂ３によって、保護パネル２Ｂの左右方向の位置決めが行われ、筐体２Ａの前側縁部に沿って形成された係止部５１ａの起立片５１ａ１に保護パネル２Ｂの前側縁部に沿って形成された被係止部６１ａの接続片６１ａ２が当接することによって、保護パネル２Ｂの前後方向の位置決めが行われる。
【００６０】
なお、図示は省略しているが、上記のようにして保護パネル２Ｂを筐体２Ａに摺動係止した後は、保護パネル２Ｂが図１０中Ｚ２方向にずれないように、保護パネル２Ｂの後側縁部と筐体２Ａの後側縁部とをビス止め等により固定する。ただし、図示は省略するが、保護パネル２Ｂの後側縁部と筐体２Ａの後側縁部も何らかの係止構造によって係止固定することで、Ｚ２方向へのずれを防止するようにしてもよい。
【００６１】
このような係止構造とすることにより、保護パネル２Ｂと筐体２Ａとを確実かつ強固に係合一体化することが可能となる。また、係止部５１ａ，５１ｂや被係止部６１ａ，６１ｂは外部から見えないので、外観上も良好なものとなる。
【図面の簡単な説明】
【００６２】
【図１】本発明の情報機器の斜視図であり、（ａ）は本体ユニットに対して表示ユニットを開いた状態、（ｂ）は本体ユニットに対して表示ユニットを閉じた状態を示している。
【図２】（ａ）は本体ユニットに対して表示ユニットを開いた状態の正面図、（ｂ）は本体ユニットに対して表示ユニットを閉じた状態の正面図、（ｃ）は本体ユニットに対して表示ユニットを閉じた状態の平面図、（ｄ）は本体ユニットに対して表示ユニットを開いた状態の側面図である。
【図３】本体ユニットに対して表示ユニットを開いた状態の側面より見た概略断面図である。
【図４】図２（ｂ）の一部を拡大した図である。
【図５】機構部材の分解図であり、本体ユニットの筐体を底面側から見た図である。
【図６】機構部材の拡大断面図である。
【図７】機構部材の他の実施例を示す拡大断面図である。
【図８】機構部材のさらに他の実施例を示す拡大断面図である。
【図９】表示ユニットの筐体と保護パネルの構造を示しており、（ａ）は筐体と保護パネルの係止部の概要斜視図、（ｂ）は筐体を裏側から見た平面図、（ｃ）は保護パネルを表側（表示面側）から見た平面図である。
【図１０】筐体に形成された係止部と、保護パネルに形成された被係止部の具体的形状を示す一部拡大した斜視図であり、保護パネル２Ｂと筐体２Ａのそれぞれの対向面側を図示している。
【図１１】（ａ）は保護パネルの左右縁部に沿って形成された被係止部の係止爪と、筐体の左右縁部に沿って形成された係止部の係止片との係合状態を示す断面図、（ｂ）は保護パネルの前側縁部に沿って形成された被係止部の開口部に、筐体の前側縁部に沿って形成された係止部の係止爪が挿入係止された状態を示す断面図である。
【図１２】ノートパソコンの従来の外観形状を示す説明図である。
【符号の説明】
【００６３】
１  本体ユニット
１ａ  キーボード
１ｂ  タッチパッド
２  表示ユニット
２Ａ  筐体（外カバー）
２Ｂ  保護パネル（内カバー）
４  機構部材
１１  筐体側面（前側側面）
１１ａ  側端面（垂直面）
１１ｂ  傾斜面
１３  切欠き部
２１  筐体側面
２１ｂ  傾斜面
２１ｃ  平坦面
４１  チルトアップボタン
４２  ボタン保持バネ
４３  ボタン固定アングル
４５，４６  スプリングコイル
【図１】
2005078600.tif 000003
【図２】
2005078600.tif 000004
【図３】
2005078600.tif 000005
【図４】
2005078600.tif 000006
【図５】
2005078600.tif 000007
【図６】
2005078600.tif 000008
【図７】
2005078600.tif 000009
【図８】
2005078600.tif 000010
【図９】
2005078600.tif 000011
【図１０】
2005078600.tif 000012
【図１１】
2005078600.tif 000013
【図１２】
2005078600.tif 000014